【手続補正書】
【提出日】平成27年8月25日(2015.8.25)
【手続補正１】
【補正対象書類名】明細書
【補正対象項目名】００１０
【補正方法】変更
【補正の内容】
【００１０】
上記の目的を達成するため、本発明による撮像装置は、光学系を介して結像した光学像を光電変換して画像信号を出力する撮像素子を有する撮像装置であって、前記撮像素子を駆動する際、複数の撮像駆動モードのうち一つを選択撮像駆動モードとして当該選択撮像駆動モードに応じて前記撮像素子を駆動する駆動制御手段と、撮影の際に、当該撮影に関する設定である撮影設定を調整して調整後撮影設定を得る調整手段と、前記調整後撮影設定に応じて撮影を行う撮影手段と、前記調整手段による前記撮影設定の調整が終了した後、前記撮影手段による撮影が行われるまで前記調整後撮影設定を保持する撮影設定保持手段とを有し、前記駆動制御手段は、前記調整手段による前記撮影設定の調整を行う際には前記選択撮像駆動モードとして第１の撮像駆動モードを選択し、予め定められた条件に応じて前記第１の撮像駆動モードから第２の撮像駆動モードに切り替えを行い、前記第１の撮像駆動モードと前記第２の撮像駆動モードとは少なくとも前記撮像素子における読み出しライン数又はフレームレートが異なることを特徴とする。
【手続補正２】
【補正対象書類名】明細書
【補正対象項目名】００２１
【補正方法】変更
【補正の内容】
【００２１】
Ａ／Ｄ変換部１０７には、アナログ信号からノイズを除去するＣＤＳ回路が備えられるとともに、アナログ信号をデジタル信号に変換する前に当該アナログ信号を非線形増幅するための非線形増幅回路が備えられている。
【手続補正３】
【補正対象書類名】明細書
【補正対象項目名】００２５
【補正方法】変更
【補正の内容】
【００２５】
さらに、カメラは、画像記録部１１１、システム制御部１１２、ＶＲＡＭ１１３、操作表示部１１４、操作部１１５、メインスイッチ（メインＳＷ）１１６、第１スイッチ（ＳＷ１）１１７、第２スイッチ（ＳＷ２）１１８を有している。
【手続補正４】
【補正対象書類名】明細書
【補正対象項目名】００２６
【補正方法】変更
【補正の内容】
【００２６】
画像記録部１１１は、撮影の結果として得られた画像データ（静止画又は動画）を記録するメモリーカードなどの記録媒体とそのインターフェースとを有している。システム制御部１１２は、ＣＰＵ、ＲＯＭ、およびＲＡＭを有し、ＣＰＵはＲＯＭに格納されたプログラムをＲＡＭの作業エリアに展開して実行する。これによって、ＣＰＵはカメラ全体の制御を行う。また、前述のように、システム制御部１１２（つまり、ＣＰＵ）は撮像素子１０６を複数の撮像駆動モードのうちいずれの撮像駆動モードで駆動するかについて選択制御する。
【手続補正５】
【補正対象書類名】明細書
【補正対象項目名】００３８
【補正方法】変更
【補正の内容】
【００３８】
次に、システム制御部１１２は第１スイッチ１１７がＯＮ操作されてから所定の時間内に第２スイッチ１１８がＯＮ操作されたか否かの判定を行う（ステップＳ２０５）。この判定はＳＷ２一気押し判定と呼ばれる。
【手続補正６】
【補正対象書類名】明細書
【補正対象項目名】００４１
【補正方法】変更
【補正の内容】
【００４１】
なお、ＳＷ１保持駆動モードは、第１スイッチ１１７のＯＮ操作が保持されている際（つまり、ＳＷ１保持処理画行われている場合）に選択される。
【手続補正７】
【補正対象書類名】明細書
【補正対象項目名】００４９
【補正方法】変更
【補正の内容】
【００４９】
ここでは、ＳＷ１保持用駆動モードは撮像素子１０６を駆動する際の読み出しライン数が所定のライン数以上である撮像駆動モードであるのでスルー画像の見栄えが向上する。このため、ユーザは第１スイッチ１１７のＯＮ操作が保持された状態である場合には、撮影画角の調整を容易に行うことができる。
【手続補正８】
【補正対象書類名】明細書
【補正対象項目名】００５０
【補正方法】変更
【補正の内容】
【００５０】
続いて、システム制御部１１２は、第２スイッチ１１８がＯＮ操作されたか否かを判定する（ステップＳ２１０）。第２スイッチ１１８がＯＮ操作されないと（ステップＳ２１０においてＮＯ）、システム制御部１１２は第１スイッチ１１７のＯＮ状態が維持されているか否かを判定する（ステップＳ２１１）。
【手続補正９】
【補正対象書類名】明細書
【補正対象項目名】００５１
【補正方法】変更
【補正の内容】
【００５１】
第１スイッチ１１７のＯＮ状態が維持されていないと（ステップＳ２１１においてＮＯ）、システム制御部１１２はステップＳ２０１の処理に戻る。一方、第１スイッチ１１７のＯＮ状態が維持されていると（ステップＳ２１１においてＹＥＳ）、システム制御部１１２はステップＳ２１０の処理に戻る。
【手続補正１０】
【補正対象書類名】明細書
【補正対象項目名】００５２
【補正方法】変更
【補正の内容】
【００５２】
第２スイッチ１１８がＯＮ操作されると（ステップＳ２１０においてＹＥＳ）、システム制御部１１２は撮像素子１０６の撮像駆動モードを本撮影用駆動モード（第３の撮像駆動モード）に切り替えた後（ステップＳ２１２）、本撮影を実行する（ステップＳ２１３）。そして、システム制御部１１２は撮影処理を終了する。
【手続補正１１】
【補正対象書類名】明細書
【補正対象項目名】００５９
【補正方法】変更
【補正の内容】
【００５９】
図３に示すように、ＡＦ用駆動モードでは、読み出しライン数は第１のライン数（少）であり、一方、そのフレームレートは第１のフレームレート（速）である。また、ＳＷ１保持用駆動モードでは、読み出しライン数は第２のライン数（中）であり、一方、そのフレームレートは第２のフレームレート（中）である。そして、本撮影用駆動モードでは、読み出しライン数は第３のライン数（多）である。つまり、第１のライン数＜第２のライン数＜第３のライン数であり、第１のフレームレート＞第２のフレームレートである。
【手続補正１２】
【補正対象書類名】明細書
【補正対象項目名】００６２
【補正方法】変更
【補正の内容】
【００６２】
前述のように、ＳＷ１保持用駆動モードでは、読み出しライン数が比較的多い「中」であり、システム制御部１１２はＳＷ１のオンによるＡＦ処理から本撮影までの時間においてＳＷ１保持用駆動モードに切り替える。ＳＷ１保持処理が行われている場合には、前述のように、システム制御部１１２はユーザが撮影画角の調整を行う可能性が高いとみなして、ＳＷ１保持処理中のスルー画像の見栄えを優先する。このため、ＳＷ１保持用駆動モードでは読み出しライン数が多め（中）とされる。
【手続補正１３】
【補正対象書類名】明細書
【補正対象項目名】００６３
【補正方法】変更
【補正の内容】
【００６３】
一方、フレームレートが低くすぎると、動く被写体およびカメラの動きに応じた画角変化を適切に表現することが困難になる。そこで、ＳＷ１保持処理中においては、ライン数が多め（中）でかつ、フレームレートが低くすぎない（中）ＳＷ１保持用駆動モードが用いられる。
【手続補正１４】
【補正対象書類名】明細書
【補正対象項目名】００６４
【補正方法】変更
【補正の内容】
【００６４】
なお、本撮影用駆動モードでは、前述のように、画像の解像度を優先して読み出しライン数が多くされる。
【手続補正１５】
【補正対象書類名】明細書
【補正対象項目名】００６６
【補正方法】変更
【補正の内容】
【００６６】
上述の説明から明らかなように、図１に示す例においては、撮影レンズ１０１、絞りおよびシャッタ１０２、およびフォーカスレンズ１０４が光学系を構成する。また、システム制御部１１２は駆動制御手段、調整手段、撮影手段、撮影設定保持手段として機能する。また、ＳＷ１は第１の指示手段として機能し、ＳＷ２は第２の指示手段として機能する。そして、システム制御部１１２およびジャイロセンサは判定手段としても機能する。
【手続補正１６】
【補正対象書類名】特許請求の範囲
【補正対象項目名】全文
【補正方法】変更
【補正の内容】
【特許請求の範囲】
【請求項１】
光学系を介して結像した光学像を光電変換して画像信号を出力する撮像素子を有する撮像装置であって、
前記撮像素子を駆動する際、複数の撮像駆動モードのうち一つを選択撮像駆動モードとして当該選択撮像駆動モードに応じて前記撮像素子を駆動する駆動制御手段と、
撮影の際に、当該撮影に関する設定である撮影設定を調整して調整後撮影設定を得る調整手段と、
前記調整後撮影設定に応じて撮影を行う撮影手段と、
前記調整手段による前記撮影設定の調整が終了した後、前記撮影手段による撮影が行われるまで前記調整後撮影設定を保持する撮影設定保持手段とを有し、
前記駆動制御手段は、前記調整手段による前記撮影設定の調整を行う際には前記選択撮像駆動モードとして第１の撮像駆動モードを選択し、予め定められた条件に応じて前記第１の撮像駆動モードから第２の撮像駆動モードに切り替えを行い、
前記第１の撮像駆動モードと前記第２の撮像駆動モードとは少なくとも前記撮像素子における読み出しライン数又はフレームレートが異なることを特徴とする撮像装置。
【請求項２】
前記駆動制御手段は、前記予め定められた条件として前記撮影設定保持手段によって前記調整後撮影設定が保持されると、前記第１の撮像駆動モードから第２の撮像駆動モードに切り替えを行うことを特徴とする請求項１に記載の撮像装置。
【請求項３】
前記調整手段には、前記撮影設定の調整を指示する第１の指示手段が備えられ、
前記撮影手段には、前記撮影の指示を行う第２の指示手段が備えられ、
前記駆動制御手段は、前記第１の指示手段による指示が行われると前記第１の撮像駆動モードを選択し、前記第１の指示手段による指示が行われた後、前記予め定められた条件である前記調整手段による前記撮影設定の調整が完了した後に前記第２の指示手段による指示があると、前記第１の撮像駆動モードから前記第２の撮像駆動モードに切り替えることを特徴とする請求項１に記載の撮像装置。
【請求項４】
前記駆動制御手段は、前記予め定められた条件である前記調整手段による前記撮影設定の調整が完了する前に前記第２の指示手段による指示があると、前記第１の撮像駆動モードおよび前記第２の撮像駆動モードと異なる第３の撮像駆動モードに切り替えることを特徴とする請求項３に記載の撮像装置。
【請求項５】
前記第３の撮像駆動モードにおいては前記読み出しライン数が前記第１の撮像駆動モードおよび前記第２の撮像駆動モードよりも多いことを特徴とする請求項４に記載の撮像装置。
【請求項６】
前記駆動制御手段は、前記予め定められた条件として前記第１の撮像駆動モードにおける読み出しライン数が所定のライン数以上であるか否かを判定して、前記第１の撮像駆動モードにおける読み出しライン数が所定のライン数以上であると、前記第２の撮像駆動モードへの切り替えを行わないことを特徴とする請求項１に記載の撮像装置。
【請求項７】
前記駆動制御手段は、前記予め定められた条件として前記第１の撮像駆動モードにおけるフレームレートが所定のフレームレート以下であるか否かを判定して、前記第１の撮像駆動モードにおけるフレームレートが所定のフレームレート以下であると、前記第２の撮像駆動モードへの切り替えを行わないことを特徴とする請求項１に記載の撮像装置。
【請求項８】
前記撮像装置が固定されているか否かを判定する判定手段を有し、
前記予め定められた条件として前記判定手段によって前記撮像装置が固定されていると判定されると、前記駆動制御手段は前記第２の撮像駆動モードへの切り替えを行わないことを特徴とする請求項１に記載の撮像装置。
【請求項９】
前記調整手段による前記撮影設定の調整はフォーカス調整を行う処理であることを特徴とする請求項１〜８のいずれか１項に記載の撮像装置。
【請求項１０】
前記第１の撮像駆動モードにおいては前記読み出しライン数が前記第２の撮像駆動モードよりも少ないことを特徴とする請求項１〜９のいずれか１項に記載の撮像装置。
【請求項１１】
前記第１の撮像駆動モードにおいては前記フレームレートが前記第２の撮像駆動モードよりも速いことを特徴とする請求項１〜１０のいずれか１項に記載の撮像装置。
【請求項１２】
前記駆動制御手段は、前記撮像素子の出力である画像信号のゲインを調整するゲインアップ量が大きくなる程、前記第１の撮像駆動モードにおけるフレームレートを遅くするとともに読み出しライン数を多くすることを特徴とする請求項１〜１１のいずれか１項に記載の撮像装置。
【請求項１３】
光学系を介して結像した光学像を光電変換して画像信号を出力する撮像素子を有する撮像装置の制御方法であって、
前記撮像素子を駆動する際、複数の撮像駆動モードのうち一つを選択撮像駆動モードとして当該選択撮像駆動モードに応じて前記撮像素子を駆動する駆動制御ステップと、
撮影の際に、当該撮影に関する設定である撮影設定を調整して調整後撮影設定を得る調整ステップと、
前記調整後撮影設定に応じて撮影を行う撮影ステップと、
前記調整ステップによる前記撮影設定の調整が終了した後、前記撮影ステップによる撮影が行われるまで前記調整後撮影設定を保持する撮影設定保持ステップとを有し、
前記駆動制御ステップでは、前記調整ステップによる前記撮影設定の調整を行う際には前記選択撮像駆動モードとして第１の撮像駆動モードを選択し、予め定められた条件に応じて前記第１の撮像駆動モードから第２の撮像駆動モードに切り替えを行い、
前記第１の撮像駆動モードと前記第２の撮像駆動モードとは少なくとも前記撮像素子における読み出しライン数又はフレームレートが異なることを特徴とする制御方法。
【請求項１４】
光学系を介して結像した光学像を光電変換して画像信号を出力する撮像素子を有する撮像装置で用いられる制御プログラムであって、
前記撮像装置が備えるコンピュータに、
前記撮像素子を駆動する際、複数の撮像駆動モードのうち一つを選択撮像駆動モードとして当該選択撮像駆動モードに応じて前記撮像素子を駆動する駆動制御ステップと、
撮影の際に、当該撮影に関する設定である撮影設定を調整して調整後撮影設定を得る調整ステップと、
前記調整後撮影設定に応じて撮影を行う撮影ステップと、
前記調整ステップによる前記撮影設定の調整が終了した後、前記撮影ステップによる撮影が行われるまで前記調整後撮影設定を保持する撮影設定保持ステップとを実行させ、
前記駆動制御ステップでは、前記調整ステップによる前記撮影設定の調整を行う際には前記選択撮像駆動モードとして第１の撮像駆動モードを選択し、予め定められた条件に応じて前記第１の撮像駆動モードから第２の撮像駆動モードに切り替えを行い、
前記第１の撮像駆動モードと前記第２の撮像駆動モードとは少なくとも前記撮像素子における読み出しライン数又はフレームレートが異なることを特徴とする制御プログラム。